(57)【要約】【課題】設置の自由度が高いプリンタを提供する。【解決手段】プリンタは、印字部、本体部、第一カバーおよび第二カバーを、備える。印字部は、用紙に印字する。本体部は、前記印字部で印字する用紙を収納する用紙収納部を内蔵し、異なる２面に、それぞれ前記用紙収納部への用紙補充を可能にする開口部を有する。第一カバーは、前記本体部の前記開口部のうちの一方を開閉する。第二カバーは、前記本体部の前記開口部のうちの他方を開閉する。【選択図】図４
2019136962.tif 000002
【特許請求の範囲】
【請求項１】
用紙に印字する印字部と、
前記印字部で印字する用紙を収納する用紙収納部を内蔵し、異なる２面に、それぞれ前記用紙収納部への用紙補充を可能にする開口部を有する本体部と、
前記本体部の前記開口部のうちの一方を開閉する第一カバーと、
前記本体部の前記開口部のうちの他方を開閉する第二カバーと、
を備えるプリンタ。
【請求項２】
前記本体部は、隣り合う２面に、前記開口部を有している
ことを特徴とする請求項１に記載のプリンタ。
【請求項３】
前記印字部は、印字ヘッドと、当該印字ヘッドとの間の用紙を搬送するプラテンローラと、を備え、
前記印字ヘッドは、前記第一カバーに取り付けられていて、
前記プラテンローラは、前記第二カバーに取り付けられていて、
前記第一カバーと前記第二カバーとの間に、用紙を排出する排紙口が設けられている
ことを特徴とする請求項２に記載のプリンタ。
【請求項４】
前記第一カバーは、前記本体部に、一端部を回動可能に取り付けられていて、回動に伴って前記開口部を開閉し、他端部が前記排紙口に面し、
前記第二カバーは、前記本体部に、一端部を回動可能に取り付けられていて、回動に伴って前記開口部を開閉し、他端部が前記排紙口に面している
ことを特徴とする請求項３に記載のプリンタ。
【請求項５】
前記本体部は、前記第一カバーを位置決めするとともに前記第二カバーを位置決めする共通位置決め部を備えている
ことを特徴とする請求項１〜４のいずれか一項に記載のプリンタ。
【発明の詳細な説明】
【技術分野】
【０００１】
本発明の実施形態は、プリンタに関する。
【背景技術】
【０００２】
プリンタの一種に、店舗のバックヤードで用いられるラベルプリンタがある。プリンタは、用紙補充やメンテナンスに際し、筐体を開閉する必要があるが、雑多なバックヤードにおいては、プリンタの周囲に、筐体を開閉するためのスペースを確保するのが困難なことがある。
【０００３】
例えば、筐体の上面に開閉蓋があるプリンタならば、筐体の上方に、蓋の開け閉めのための空間を確保しなければならないし、また例えば、筐体の前面に開閉蓋があるプリンタならば、筐体の前方に、蓋の開け閉めのための空間を確保しなければならない。
【０００４】
このように、プリンタは、設置場所によってアクセス可能な方向が制約されることがある。このような問題は、バックヤードで用いられるラベルプリンタでなくとも、同様に起こり得る。
【発明の概要】
【発明が解決しようとする課題】
【０００５】
本発明が解決しようとする課題は、設置の自由度が高いプリンタを提供することである。
【課題を解決するための手段】
【０００６】
実施形態のプリンタは、印字部、本体部、第一カバーおよび第二カバーを、備える。印字部は、用紙に印字する。本体部は、前記印字部で印字する用紙を収納する用紙収納部を内蔵し、異なる２面に、それぞれ前記用紙収納部への用紙補充を可能にする開口部を有する。第一カバーは、前記本体部の前記開口部のうちの一方を開閉する。第二カバーは、前記本体部の前記開口部のうちの他方を開閉する。
【図面の簡単な説明】
【０００７】
【図１】図１は、実施形態のプリンタの外観を示す斜視図である。
【図２】図２は、第一カバーを開放した状態のプリンタの斜視図である。
【図３】図３は、第二カバーを開放した状態のプリンタの斜視図である。
【図４】図４は、第一カバーおよび第二カバーを開放したプリンタの斜視図である。
【図５】図５は、第一カバーおよび第二カバーを閉じたプリンタの縦断側面図である。
【図６】図６は、第二カバーを開放した状態のプリンタの縦断側面図である。
【図７】図７は、ロック部の外観を示すプリンタ内部の側面図である。
【図８】図８は、ロック部の他の例の外観を示すプリンタ内部の斜視図である。
【発明を実施するための形態】
【０００８】
実施形態について図面を用いて説明する。図１は、実施形態のプリンタ１の外観を示す斜視図である。プリンタ１は、筐体２を有する。筐体２の形状は、箱型（例えば略直方体もしくは略立方体）である。筐体２は、筐体２の主部を構成する本体部２０と、筐体２の一部を構成する第一カバー２１および第二カバー２２と、を備えている。
【０００９】
図２は、第一カバー２１を開放した状態のプリンタ１の斜視図である。図３は、第二カバー２２を開放した状態のプリンタ１の斜視図である。図４は、第一カバー２１および第二カバー２２を開放したプリンタ１の斜視図である。本体部２０は、筐体２の異なる２面に、開口部２３，２４を有している。第一カバー２１は、一方の開口部２３を開閉する。第二カバー２２は、他方の開口部２４を開閉する。
【００１０】
図５は、第一カバー２１および第二カバー２２を閉じたプリンタ１の縦断側面図である。図６は、図３に対応し、第二カバー２２を開放した状態のプリンタ１の縦断側面図である。プリンタ１は、さらに、用紙収納部３および印字部４を備えている。
【００１１】
用紙収納部３は、本体部２０内に設けられており、ロール紙１０を収納し、回転自在に保持する。ロール紙１０は、用紙を巻いたものであって、例えばラベルロールやレシートロールである。ラベルロールは、ラベルが所定間隔で貼付された帯状の台紙が巻かれたものである。レシートロールは、帯状の紙が巻かれたものである。開口部２３，２４は、それぞれが、用紙収納部３への用紙の補充や交換を、可能にする。
【００１２】
ここで、用紙収納部３は、ロール紙１０を、いわゆる投げ込み式で保持するのであってもよいし、或いは、ロール紙１０の中空部に差し込まれて回転の軸となる芯材を、所定の保持部で保持するのであってもよい。
【００１３】
印字部４は、用紙収納部３から引き出された用紙に印字する。印字部４は、印字ヘッド４１とプラテンローラ４２とを備えている。
【００１４】
本実施形態では、開口部２３，２４は、筐体２の隣り合う２面に設けられており、第一カバー２１と第二カバー２２との間に、用紙を排出する排紙口２５（図１および図５参照）が設けられている。
【００１５】
また、本実施形態では、第一カバー２１は、本体部２０に、一端部２１１を回動可能に取り付けられていて、回動に伴って開口部２３を開閉する。この第一カバー２１の他端部２１２は、排紙口２５に面している。さらに、第二カバー２２は、本体部２０に、一端部２２１を回動可能に取り付けられていて、回動に伴って開口部２４を開閉する。この第二カバー２２の他端部２２２は、排紙口２５に面している。
【００１６】
印字ヘッド４１は、第一カバー２１に取り付けられていて、プラテンローラ４２は、第二カバー２２に取り付けられている。第一カバー２１が開口部２３を閉じ、且つ、第二カバー２２が開口部２４を閉じているとき、印字ヘッド４１にプラテンローラ４２が接して、プリンタ１が印字可能な状態になる。
【００１７】
印字ヘッド４１は、例えばサーマルヘッドである。プラテンローラ４２は、ステッピングモータなどの駆動力を、ギヤ４２１（図４等参照）を介して伝達されることにより、回転する。プラテンローラ４２が回転すると、印字ヘッド４１との間に挟まれた用紙が搬送される。
【００１８】
図７は、ロック部５の外観を示すプリンタ１内部の側面図である。なお、図７に示したのは、プリンタ１から筐体２の外装部分を取り除いたものである。以下、本体部２０の外装を除いたもの（フレーム部分）を本体フレーム２０１、第一カバー２１から外装を除いたものを第一フレーム２１３、第二カバー２２から外装を除いたものを第二フレーム２２３、とする。本体フレーム２０１には、ギヤ４２１とプラテンローラ４２との回転軸を避ける切欠き２０２（図４等参照）が設けられている。第二カバー２２が筐体２を閉じる位置に位置するとき、ギヤ４２１とプラテンローラ４２との間に本体フレーム２０１の切欠き２０２周りの部分が位置し、ギヤ４２１の回転軸が切欠き２０２に入り込む。
【００１９】
プリンタ１は、ロック部５を、さらに備えている。ロック部５は、ピン５１，５２と、レバー５３，５４と、ボタン５５，５６（図１参照）と、を備えている。
【００２０】
レバー５３，５４は、鉤状の形状のロック端５３１，５４１と、オペレータからの力が伝達される操作端５３２，５４２と、回動中心５３３，５４３と、を有している。レバー５３は、回動中心５３３において、第一カバー２１に軸支されている。レバー５４は、回動中心５４３において、第二カバー２２に軸支されている。
【００２１】
ロック端５３１は、第一フレーム２１３の排紙口２５寄りの端部を幅方向に挟む一対の位置に、設けられている。また、ロック端５４１は、第二フレーム２２３の排紙口２５寄りの端部を幅方向に挟む一対の位置に、設けられている。
【００２２】
操作端５３２は、図７に示す側面視において、回動中心５３３を挟んでロック端５３１の反対側に位置し、一対のロック端５３１をつなぐ部分に設けられている。また、操作端５４２は、図７に示す側面視において、回動中心５４３を挟んでロック端５４１の反対側に位置し、一対のロック端５４１をつなぐ部分に設けられている。
【００２３】
ピン５１は、本体フレーム２０１に設けられていて、第一カバー２１を閉じたときにレバー５３が引っかかるものである。ピン５２は、本体フレーム２０１に設けられていて、第二カバー２２を閉じたときにレバー５４が引っかかるものである。
【００２４】
ボタン５５は、第一カバー２１に設けられていて、レバー５３の操作端５３２の近傍に位置し、オペレータから受けた力を操作端５３２に伝達してレバー５３を回動させる。
【００２５】
このような構成において、プリンタ１は、用紙収納部３に収納・保持されたロール紙１０を、プラテンローラ４２を回転させて引き出し、引き出された用紙に印字ヘッド４１で印字し、用紙を排紙口２５から排出する。
【００２６】
また、このような構成のプリンタ１に対して、オペレータは、用紙収納部３に対する用紙の補充・交換を、第一カバー２１または第二カバー２２を開放することにより行う。また、オペレータは、用紙収納部３に入れ込んだロール紙１０から引き出した用紙の先端部を筐体２外に保持した状態で、開放されている第一カバー２１または第二カバー２２を閉じる。これにより、用紙が印字ヘッド４１とプラテンローラ４２とに挟まれ、用紙の先端部が排紙口２５から筐体２外に出た状態になる。
【００２７】
このようなプリンタ１を用いるオペレータは、用紙の補充・交換、或いはプリンタ１のメンテナンスなど、筐体２を開放する必要がある場合に、第一カバー２１および第二カバー２２のどちらを開放するのかを、選択することができる。よって、オペレータは、プリンタ１を設置する環境を整えるにあたり、第一カバー２１か第二カバー２２のどちらかが開放可能な状態を保てればよい。つまり、本実施形態により、設置の自由度が高いプリンタ１を提供することができる。
【００２８】
このように、プリンタ１は、筐体２の異なる２面に用紙補充を可能にする開口部２３，２４を有し、各開口部２３，２４を第一カバー２１，第二カバー２２で開閉するようにしたので、プリンタ１の設置環境に応じて、第一カバー２１，第二カバー２２のうち開放可能な方を使用することができる。
【００２９】
また、プリンタ１は、筐体２の隣り合う２面に開口部２３，２４を有しているので、第一カバー２１，第二カバー２２の両方を開放することにより、装置内部を大きく開放することができるため、メンテナンス等に際して好適である。
【００３０】
また、プリンタ１においては、印字ヘッド４１が第一カバー２１に、プラテンローラ４２が第二カバー２２に、取り付けられている。これにより、第一カバー２１，第二カバー２２のどちらが開放された場合であっても、印字ヘッド４１とプラテンローラ４２とを離間させることができ、筐体２を閉じることによって、用紙を印字ヘッド４１とプラテンローラ４２との間に容易に挟むことができる。
【００３１】
また、本実施形態では、第一カバー２１および第二カバー２２は、本体部２０に回動可能に取り付けられ、回動に伴って筐体２を開閉する構造とされている。実施にあたっては、第一カバー２１および第二カバー２２を、例えば本体部２０に対してスライド可能に設けて、スライドに伴って筐体２を開閉する構造とすることも可能である。しかしながら、後者の構造に比べ、前者の方が、開閉のための構造の実現に要するコストを低く抑えやすい。
【００３２】
なお、本実施形態では、用紙としてロール紙１０を用いるプリンタ１を例に説明したが、実施にあたっては、別の形態の用紙に印字するプリンタに、筐体の異なる２面を開閉する構造を適用しても構わない。また、本実施形態では、図１等において、排紙口２５を正面に向けてプリンタ１を図示したが、実施にあたっては、排紙口２５が例えば上向きなど他の向きを向く状態でプリンタ１が使用されてもよい。
【００３３】
また、本実施形態の開口部２３，２４は、各々、筐体２の一面の全体を構成するが、実施にあたっては、筐体２の一面の全体でなく一部を構成するのであってもよい。
【００３４】
また、本実施形態のレバー５３，５４は、回動することによりロックおよびロック解除をするものであるが、実施にあたって、レバー５３，５４の動作は回動以外であってもよい。
【００３５】
（変形例）
以下、ロック部の変形例について説明する。図８は、ロック部の他の例（ロック部６）の外観を示すプリンタ１内部の斜視図である。ロック部６の説明にあたっては、ロック部５の各部と同じである部分については同じ符号を用い、対応するが異なる部分については、末尾に「Ａ」を付けた符号を用いる。
【００３６】
ロック部６は、ロック部５のピン５１とピン５２とを共通化して１本にしたピン６１と、ピン６１に合わせてレバー５３を変形させたレバー５３Ａと、ピン６１に合わせてレバー５４を変形させたレバー５４Ａと、を備えている。ピン６１は、共通位置決め部の一例であって、第一カバー２１を位置決めするとともに、第二カバー２２を位置決めする。
【００３７】
レバー５３Ａ，５４Ａのロック端５３１Ａ，５４１Ａは、図７に示すロック端５３１，５４１よりも長く、先端部が回動中心５３３，５４３から離れている。ピン６１は、ロック端５３１Ａ，５４１Ａが交わる位置に設けられている。
【００３８】
このように、ピン６１を共通化することによって、プリンタ１における印字精度を得やすくすることができる。というのも、印字部４における印字ヘッド４１とプラテンローラ４２との位置精度が、印字精度に重要であるためである。プリンタ１において、印字ヘッド４１とプラテンローラ４２との位置精度を好適にするには、本体部２０に対する第一カバー２１の位置精度を良くするとともに、本体部２０に対する第二カバー２２の位置精度をも良くしなければならない。
【００３９】
ロック部５のように、第一カバー２１を固定するためのピン５１と第二カバー２２を固定するためのピン５２とが別々に本体部２０に設けられていると、ピン５１とピン５２とのそれぞれの位置の誤差を合計した誤差が、印字部４に影響することとなる。
【００４０】
これに対して、ロック部６のように、本体部２０に設けられた一つのピン６１に、第一カバー２１も第二カバー２２も固定するのであれば、位置の誤差の原因が一つになるので、誤差の管理が比較的容易になる。
【００４１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４２】
１  …プリンタ
１０…ロール紙
２  …筐体
２０…本体部、２０１…本体フレーム
２１…第一カバー、２１１…一端部、２１２…他端部、２１３…第一フレーム
２２…第二カバー、２２１…一端部、２２２…他端部、２２３…第二フレーム
２３，２４…開口部
２５…排紙口
３  …用紙収納部
４  …印字部
４１…印字ヘッド
４２…プラテンローラ、４２１…ギヤ
５…ロック部
５１，５２…ピン
５３…レバー、５３１…ロック端、５３２…操作端、５３３…回動中心
５４…レバー、５４１…ロック端、５４２…操作端、５４３…回動中心
５５，５６…ボタン
６…ロック部、６１…ピン
５３Ａ，５４Ａ…レバー
５３１Ａ，５４１Ａ…ロック端
【先行技術文献】
【特許文献】
【００４３】
【特許文献１】特開２００７−８０６７号公報
【特許文献２】特開２０１５−１４７６４７号公報
【図１】
2019136962.tif 000003
【図２】
2019136962.tif 000004
【図３】
2019136962.tif 000005
【図４】
2019136962.tif 000006
【図５】
2019136962.tif 000007
【図６】
2019136962.tif 000008
【図７】
2019136962.tif 000009
【図８】
2019136962.tif 000010